(57)【要約】      （修正有）【課題】インパクト時におけるクラブシャフトと地面の角度、並びに、クラブシャフトと手首の角度を、アドレス時に作った角度に、戻すことを意識することが出来る練習器具を提供する。【解決手段】アイアン及びドライバーのクラブ使用時においては、そのクラブのヘッドの大きさに合わせ１を下部にし、２を上部とし２を３のネジ棒の範囲内で高さ調節する。２に付着させている４を伸ばし、アドレス時に出来たクラブシャフトと地面の角度と平行に合わせ、クラブシャフトの上に位置させる。トップオブスイングからインパクトにかけては、アドレス時通り４の下を通してインパクトを迎える。また、パターの練習時に於いては、１を下部にし、２を３の範囲内で高さ調節する。４を伸ばし、地面と平行にする。４に当たらないようにその下で、パターヘッドを目標とボールの延長線上に低く真っすぐ引き、目標に向けて低く出す。【選択図】図１
2009011774.tif 000002
【特許請求の範囲】
【請求項１】
インパクト時、角度確認意識として、アドレス時に出来た、地面とクラブシャフトの角度に合わせ、角度調節する機能を備えたゴルフ練習器具。
【請求項２】
インパクト時、角度確認意識として、アドレス時に出来た、地面とクラブシャフトの角度に合わせ角度調節する為、本体を上部下部に分け、下部にネジ棒を立て、そのネジ棒の長さの範囲内で上部が上下に高さ調節できる請求項１記載のゴルフ練習器具。
【請求項３】
インパクト時、角度確認意識として、アドレス時に出来た、地面とクラブシャフトの角度に合わせ角度調節する為、上部に伸び縮み可能、且つ、１８０度四方に動く物を付着させた請求項１から２のうちいずれか記載のゴルフ練習器具。
【請求項４】
▲４▼は同一の高さ位置で曲折した状態を、維持可能とした事を特徴とする請求権３記載のゴルフ練習器具。
【発明の詳細な説明】
【発明の詳細な説明】
【技術分野】
【０００１】  ゴルフスイング中のインパクト時、角度確認としてゴルフクラブのシャフトの角度を矯正するゴルフ練習器具に関する。また、パターの練習時に於いては、低く真っすぐ引き、低く真っすぐ打ち出せることに関する。
【背景技術】
【０００２】  ゴルフに於いて、ゴルフボールを真っ直ぐに飛ばす為には、インパクト時にヘッドがゴルフボールを捕らえた時の向き及び、その時の地面とクラブシャフトの角度が重要である。アドレス時に作ったクラブヘッドとゴルフボールの向き、地面とクラブシャフトとの角度並びに、クラブシャフトと手首の角度をインパクト時で、再現できるか否かが重要なポイントとされている。多くのゴルファーはアドレス時で作った、地面とクラブシャフトの角度・クラブシャフトと手首の角度より、インパクト時に於ける角度は立たせてしまう光景にあると言える。なぜなら、ボールに意識がいき過ぎてしまっている為、インパクト時では手首を伸ばしてしまうからである。【０００３】  トップスイングからダウンスイングへの切り返しのときに、左右の肩、胸、腰、膝などの開きを必要最低限に抑え、右打ちのプレイヤーは右肘、左打ちのプレイヤーは左肘が真下に降りてくる動きが理想とされている。【０００４】  パターでは、ボールの転がりを良くする為、また目標方向に打ち易くする為、テークバックを目標とボールの延長線上に低く真っすぐ引き、目標に向けて低く打ち出す。【０００５】  スイング動作を矯正するゴルフ練習器具としては、スイング時にクラブシャフトが常にオンプレーン上に位置することを意識する事が出来る練習器具を提供することを目的とし、また、スイング矯正のための練習時に違和感を感じることなく、通常のスイング時には不要な力を必要とせず、必要な力のみを必要とし、感覚的に通常のスイングと同様の感覚をもって矯正が可能な練習器具が提案されている。（例えば、特許文献１参照。）。【０００６】  体とクラブシャフトの間に設置し、スイング動作を矯正するゴルフ練習器具では、インパクト時に手首を伸ばし、クラブシャフトを立たせることを許してしまう為、アドレス時に作った地面とクラブシャフトの角度に再度戻す矯正にはならない。また、トップスイングからダウンスイングへの切り返しのときに、左右の肩、胸、腰、膝などの開きを抑制することは難しい。本発明品はアイアン及びドライバーの練習に関しては、インパクト時に於ける地面とクラブシャフトとの角度及び、クラブシャフトと手首の角度をアドレスの時の同じように戻す為の練習器具である。クラブシャフトとボールの延長線上に設置し、そのプレイヤーがハンドファーストに構えるならそのクラブシャフトの角度、向き合わせて設定することが出来る。また本体に付着させている伸び縮み可能な棒を意識し、その下を通してインパクトを迎える為、左右の肩、胸、腰、膝などの開きを抑え、インサイドからゴルフボールを捕らえるインパクトの形が出来る。
また、パター練習時は本体に付着させている伸び縮み可能な棒を伸ばし、地面と平方の位置で維持させ、その下でパターヘッドをストロークすることにより、低く真っすぐ引き、低く真っすぐ打ち出すことを矯正出来る。【０００７】
【特許文献１】特開２００７−６１４７８
【発明の開示】
【発明が解決しようとする課題】
【０００８】  本願発明は上記従来例の欠点を解消し、アイアン、ドライバーのクラブ使用時に於いて、ゴルフボールを真っすぐ飛ばすためのスイングを習得しえる練習器具を提供することを目的としました。まずその為には、アドレス時に作った地面とクラブシャフトの角度及び、クラブシャフトと手首の角度をインパクト時にも再現出来るようにする。また、トップスイングからダウンスイングへの切り返しのときに、左右の肩、胸、腰、膝などの開きを必要最低限に抑え、右打ちのプレイヤーは右肘、左打ちのプレイヤーは左肘が真下に降りてくる動きが出来るようにする。これによりインサイドからゴルフボールを捕らえるインパクトの形が出来る。
パターでは、ボールの転がりを良くする為、また目標方向に打ち易くする為、テークバックを目標とボールの延長線上に低く真っすぐ引き、目標に向けて低く打ち出す。更に簡易な構成として、持運び、保管及び、設置を容易にすること。
【課題を解決するための手段】
【０００９】  上記課題を解決するための手段として、アドレス時に作った地面とクラブシャフトの角度、手首とクラブシャフトの角度向きに合わすことが出来る伸び縮み可能な棒を用いて角度調節機能を備える。【００１０】  インパクト時、角度確認意識の手段として、その地面とクラブシャフトの角度、手首とクラブシャフトの角度向きに合わすことが出来る伸び縮み可能な棒の下を通してインパクトを迎える意識を強めれば、自然に左右の肩、胸、腰、膝などの開きを抑え、インサイドからゴルフボールを捕らえるインパクトの形が出来る。【００１１】  ゴルフボールをティーアップした場合にも対応出来るよう、本体を下部、上部に分け、下部と上部で高さ調整出来るようにする。【００１２】  上部に１８０度四方に角度調整可能且つ、伸び縮みも可能な棒を用いて上部に付着させる。高さ調整し、棒を伸ばし地面と平行に設置し、その下でパターのストロークをすれば、目標とボールの延長線上に低く真っすぐ引き、目標に向けて低く打ち出すことが出来る。【００１３】  １８０度四方に角度調整可能且つ、伸び縮みも可能な棒を用いることにより、コンパクトに折り畳み式になり、持運び、保管及び、設置を容易にすることが出来る。
【発明の効果】
【００１４】  １８０度四方に角度調整可能且つ、伸び縮みも可能な棒の下を通してインパクトを迎える意識があれば、左右の肩、胸、腰、膝などの開きを抑え、インサイドからゴルフボールを捕らえるインパクトの形が出来やすくなる。【００１５】  １８０度四方に角度調整可能且つ、伸び縮みも可能な棒にクラブシャフトを接触させないような意識があれば、アドレス時に作った地面とクラブシャフトの角度、手首とクラブシャフトの角度向きでインパクトを迎え易くなる。【００１６】  上部に１８０度四方に角度調整可能且つ、伸び縮みも可能な棒を用いて上部に付着させる。高さ調整し、棒を伸ばし地面と平行に設置し、その下でパターのストロークをすれば、目標とボールの延長線上に低く真っすぐ引き、目標に向けて低く打ち出し易くなる
【発明を実施するための最良の形態】
【００１７】  以下本発明の実施の形態を図に従って詳細を説明する。図１は本発明ゴルフ練習器具の第一実施形態の図である。まず、本体を上下部に分け、▲１▼を下部にし、▲２▼を上部とし▲２▼を▲３▼の範囲内で高さ調節する。▲２▼に付着させている▲４▼に１８０度四方に角度調整可能且つ、伸び縮みも可能な棒を用いる。【００１８】  アイアン、ドライバー、そのクラブヘッドの大きさや、ティーアップさせる高さに対応出来るよう下部と上部を分け、下部にネジ棒を埋め込み、そのネジ棒の範囲内で高さ調整する。【００１９】  アドレス時に作った地面とクラブシャフトの角度、手首とクラブシャフトの角度向きに合わせ、▲２▼に付着させた▲４▼、１８０度四方に角度調整可能且つ、伸び縮みも可能な棒を用いてそのシャフトの上に平行に合わせる。
【図面の簡単な説明】
【００２０】
【図１】本発明の実施形態図
【図２】下部・上部・ネジ棒（１８０度四方に角度調整可能且つ、伸び縮み可能な棒）
【図３】実施形態使用状態側面図（アイアン・ドライバー）
【図４】実施形態使用状態正面図（パター）
【符号の説明】
【００２１】    １  下部
２  上部
３  ネジ棒      ４  １８０度四方に角度調整可能且つ、伸び縮みも可能な棒
【図１】
2009011774.tif 000003
【図２】
2009011774.tif 000004
【図３】
2009011774.tif 000005
【図４】
2009011774.tif 000006